(57)【要約】【課題】メンテナンスが容易であるとともに、プロセスロールの胴部表面への異物付着量が多い場合でも、異物掻き取り効果を十分長く発揮することができる異物除去装置を提供する。【解決手段】プロセスロールの胴部表面に、ロール胴長方向に沿ってその掻き取り面を接触させた異物掻き取りベルトを具備してなる異物除去装置。  【選択図】図１
2007229573.tif 000002
【特許請求の範囲】
【請求項１】
プロセスロールの胴部表面に、ロール胴長方向に沿ってその掻き取り面を接触させた異物掻き取りベルトを具備してなることを特徴とする異物除去装置。
【請求項２】
前記プロセスロールのロール胴長方向両サイドに、前記異物掻き取りベルトをロール胴長方向に沿って往復移動させる巻取り兼払出し機を具備してなることを特徴とする請求項１に記載の異物除去装置。
【請求項３】
前記巻取り兼払出し機の出入口に、異物除去ラバーを具備してなることを特徴とする請求項２に記載の異物除去装置。
【発明の詳細な説明】
【技術分野】
【０００１】
本発明は、ロールコーターのアプリケータロールなどのように胴部表面への異物付着量が多い場合であっても、異物除去効果を十分長く持続させることができる異物除去装置に関する。
【背景技術】
【０００２】
搬送される金属帯と接触するプロセスロールの胴部表面には、異物が付着する場合があり、これを除去せずにプロセスロールを使用すると、異物に起因するデンツと呼ばれる凹状欠陥が金属帯表面に生じる。かかる不具合を防止するため、ドクターブレードを用い、ロール胴部表面に付着した異物を除去する異物除去装置が公知である（例えば特許文献１、２）。
【特許文献１】特開平９−２３４４０４号公報
【特許文献２】特開２００２−２３９４３０号公報
【発明の開示】
【発明が解決しようとする課題】
【０００３】
しかしながら、ドクターブレードを図３に示すロールコーターのアプリケータロール１に適用した場合には、以下に説明する問題点がある。
その問題点につき、図５を用いて詳細に説明する。図５は、ドクターブレード５を具備してなる異物除去装置における問題点を説明する（ａ）は側面図、（ｂ）は上方から見た平面図である。
【０００４】
図５中、搬送される金属帯Ｓと接触するアプリケータロール１が本願発明の「プロセスロール」に相当する。このアプリケータロール１の胴部表面には、塗料パン３中に一部を浸漬してなるピックアップロール２から塗料４が受け渡される。ピックアップロール２からアプリケータロール１に接触面を介して受け渡された塗料４は、アプリケータロール１によって金属帯Ｓの表面に塗布されるようになっている。４Ａは、金属帯Ｓの表面に塗布された塗料を示す。
【０００５】
ここで、ドクターブレード５は、図５（ａ）に示したように、アプリケータロール１の胴部表面が金属帯表面に接触した後、ピックアップロール２と接触する前のロール周方向箇所に配置する。そしてゴム製の胴部表面に疵を付けないようにし、かつ付着した異物を除去できるように、ブレード保持手段１６で固定する必要がある。このため、それを手入れしたり交換するメンテナンスには時間を要するという問題がある。
【０００６】
また、ドクターブレード方式を採用した場合、アプリケータロール１のように、胴部表面への異物付着量が多い環境下では、すぐにドクターブレード５内に異物Ｍが集積されてしまうため、異物掻き取り効果が短いという問題点もあった。したがって、プロセスロールにドクターブレードを具備した場合、プロセスラインの操業度が悪化してしまうという欠点がある。
【０００７】
本発明は、上記のようなドクターブレードを用いた従来技術の問題点に鑑み、メンテナンスが容易であるとともに、プロセスロールの胴部表面への異物付着量が多い場合でも、異物掻き取り効果を十分長く発揮することができる異物除去装置を提供することを目的とする。
【課題を解決するための手段】
【０００８】
本発明は、プロセスロールに具備する異物掻き取り手段として、ドクターブレードに代わり、異物掻き取りベルトを用いることによって上記課題を解決したものである。
１．プロセスロールの胴部表面に、ロール胴長方向に沿ってその掻き取り面を接触させた異物掻き取りベルトを具備してなることを特徴とする異物除去装置。
２．前記プロセスロールのロール胴長方向両サイドに、前記異物掻き取りベルトをロール胴長方向に沿って往復移動させる巻取り兼払出し機を具備してなることを特徴とする上記１．に記載の異物除去装置。
【０００９】
３．前記巻き取り兼払い出し機の出入口に、異物除去ラバーを具備してなることを特徴とする、上記２．に記載の異物除去装置。
【発明の効果】
【００１０】
本発明によれば、プロセスロールの胴部表面への異物付着量が多い環境下でも、胴部表面と接触させた掻き取り面をロール胴長方向に沿って移動させることができるため、掻き取った異物が掻き取り面に集積するのを抑制でき、異物除去効果を十分長く持続させることができる。
このため、異物掻き取り手段のメンテナンス間隔をドクターブレード方式の場合に比べて長くすることができ、ベルトの手入れ又はその交換頻度を低減することができる。
【００１１】
また、本発明によれば、プロセスロールの胴部表面に、異物掻き取りベルトの掻き取り面をロール胴長方向に沿って接触させるようにすればよいので、異物掻き取り手段のメンテナンスにかかる時間を短くできる。
その結果、ドクターブレード方式の場合に比べ、プロセスラインの操業度が向上する。
【発明を実施するための最良の形態】
【００１２】
以下、本発明にかかる異物除去装置を図３に示したような、ロールコーターのアプリケータロール１に適用した場合について説明する。
本発明の実施の形態にかかる異物除去装置は、図１に示すように、アプリケータロール１の胴部表面に、ロール胴長方向に沿ってその表面を接触させた異物掻き取りベルト６を具備してなる。異物掻き取りベルト６は、ロール胴長方向に沿ってその表面を接触させつつ、ロール胴長方向に移動させることができる。なお、異物掻き取りベルト６をドクターブレードの代わりにアプリケータロール１に適用する場合、アプリケータロール１の表層はゴム製であるから、それと接触させるベルトの材料として不織布を用いるのが好適である。図１（ｂ）で１Ａは掻き取り面と接触させたプロセスロール１の胴部表面を示す。
【００１３】
この本発明の実施の形態にかかる異物除去装置には、胴部表面に付着した異物を除去する異物掻き取りベルト６の他に、前記プロセスロール１のロール胴長方向両サイドに、巻取り兼払出し機７を具備してなる。この巻取り兼払出し機７は、異物掻き取りベルト６をロール胴長方向に沿って往復移動させることができる構造とされてなる。
この巻取り兼払出し機７を具備した異物除去装置によれば、図２に示すように、一方側から他方側のサイドに移動が完了した異物掻き取りベルト６の移動方向をオートリバースで逆転させることができるから好ましい。図２（ａ），（ｂ）中、９、１０はベルト移動方向を示す。
【００１４】
また、巻取り兼払出し機７の入口に、異物除去ラバー８を具備してなる異物除去装置とするのが好ましい。このようにした異物除去装置によれば、異物掻き取りベルト６の掻き取り面に付着した異物を異物除去ラバー８によって除去することができるので、それを設けない場合に比べて、異物除去効果を長く持続させることができる。
【実施例】
【００１５】
本発明にかかる異物除去装置をロールコーターのアプリケータロール１に適用した場合の効果を図４に示した。
このアプリケータロール１はロール胴長が１８００ｍｍとされ、金属帯Ｓの搬送速度＝１７３ｍｐｍ（最大）に対してアプリケータロール１の回転速度を２４０ｒｐｍ（最大）とし、金属帯Ｓの搬送方向に対してアプリケータロール１の回転をカウンター方向（図３参照）として、塗料４を塗布することができる。
【００１６】
このような仕様のアプリケータロール１の胴部表面に、ロール胴長方向に沿って不織布製の異物掻き取りベルト６の掻き取り面を接触させつつ、ロール胴長方向に毎分１ｍｍで移動させた場合を本発明例とした。この異物掻き取りベルト６は、そのベルト厚ｔ＝２〜５ｍｍの全部が不織布で作られてなる。
従来例は、異物掻き取り手段であるドクターブレードを、アプリケータロール１の胴部表面に、その端部を対向させてブレード保持手段で固定した場合である。ドクターブレード保持手段まで含めたドクターブレードの設置スペースは長さａ＝１００ｍｍ、高さｂ＝１００ｍｍである（図５（ａ）参照）。  
【００１７】
図４に示した結果から、異物掻き取り手段としてドクターブレードを用いた従来例に比べて異物掻き取りベルト６を用いた本発明例では、その手入れ又はその交換頻度を低減することができている。またドクターブレードの場合とは異なり、異物掻き取りベルト６の場合には、金属帯の幅方向内（搬送ライン内）には、ベルトを通すスペースがあればよく、省スペース化が図れる。
【図面の簡単な説明】
【００１８】
【図１】本発明の実施の形態にかかる異物除去装置の構成を示す（ａ）は側面図、（ｂ）は上方から見た平面図である。
【図２】本発明の実施の形態にかかる異物除去装置の作用を説明するための、上方から見た平面図である。
【図３】本発明を適用したロールコーターの斜視図である。
【図４】本発明にかかる異物除去装置を適用した場合の効果をドクターブレードと対比して説明する図である。
【図５】ドクターブレードを具備してなる異物除去装置の問題点を説明する（ａ）は側面図、（ｂ）は上方から見た平面図である。
【符号の説明】
【００１９】
１  アプリケータロール（プロセスロール）
１Ａ  掻き取り面と接触させたプロセスロールの胴部表面
２  ピックアップロール
３  塗料パン
４、４Ａ  塗料
５  ドクターブレード
６  異物掻き取りベルト
７  巻取り兼払出し機
８  異物除去ラバー
９、１０  ベルト移動方向
１６  ブレード保持手段
Ｍ  異物
Ｓ  金属帯
ａ  ドクターブレードの設置スペース
ｔ  ベルト厚
【図１】
2007229573.tif 000003
【図２】
2007229573.tif 000004
【図３】
2007229573.tif 000005
【図４】
2007229573.tif 000006
【図５】
2007229573.tif 000007